(57)【要約】【課題】確実に被覆でき、かつ取り付け及び取り外し作業性に優れる避雷器用カバーを提供する。【解決手段】避雷器１００と線路側電線１０５とに亘って被覆可能な第１カバー本体１２及び線路側電線１０５に嵌合可能な第１嵌合カバー部１７を備えた第１カバー部材１１と、第１カバー部材１１と対向して第１カバー本体１２を被覆可能な第２カバー本体２２及び第１嵌合カバー部１７に嵌合可能な第２嵌合カバー部２７とを備えた第２カバー部材２１と、線路側電線１０５に嵌合した第１嵌合カバー部１７及び第２嵌合カバー部２８を固定するクリップ３１と、第１カバー本体１２と第２カバー本体２２によって避雷器１００と線路側電線１０５とに亘って被覆した状態に保持する面ファスナ１９Ｆ、２９Ｆを備える。【選択図】図１
2012114178.tif 000002
【特許請求の範囲】
【請求項１】
避雷器と該避雷器の接続端子に接続される線路側電線とに亘って被覆する避雷器用カバーであって、
前方から下方に亘って連続開放された略半割カップ状で上記避雷器と線路側配線とに亘って被覆可能な第１カバー本体及び、上記線路側電線に被覆嵌合可能な第１開口溝部を備えた断面優弧状で延在する第１嵌合カバー部とが一体形成された可撓性樹脂製の第１カバー部材と、
該第１カバー部材と対向する前方から下方に亘って連続開放された略半割カップ状で上記第１カバー本体を被覆可能な第２カバー本体及び、上記第１嵌合カバー部に被覆嵌合可能な第２開口溝部を備えた断面優弧状で延在する第２嵌合カバー部とが一体形成された可撓性樹脂製の第２カバー部材と、
上記線路側電線に被覆嵌合した上記第１嵌合カバー部及び該第１嵌合カバー部に被覆嵌合した上記第２嵌合カバー部を共に線路側電線に挟持固定する嵌合カバー部固定手段と、
上記第１カバー本体と第２カバー本体によって上記避雷器と線路側電線とに亘って被覆した状態に保持するカバー本体固定手段と、を備えたことを特徴とする避雷器用カバー。
【請求項２】
避雷器と該避雷器の接続端子に接続される線路側電線とに亘って被覆する避雷器用カバーであって、
断面Ｕ字状で上下方向に延在する第１周面部及び前方が開口する第１挿入凹部が形成された第１上面部を有して前方から下方に亘って連続開放された略半割カップ状で上記避雷器と線路側電線とに亘って被覆可能な第１カバー本体と、上記第１挿入凹部に連続して開口する第１開口溝部を有して上下方向に連続する断面優弧状で線路側電線に被覆嵌合可能な第１嵌合カバー部とが一体形成された可撓性樹脂製の第１カバー部材と、
該第１カバー部材と対向する断面Ｕ字状で上下方向に連続する第２周面部及び前方が開口する第２挿入凹部が形成された第２上面部を有して前方から下方に亘って連続開放された略半割カップ状で上記第１カバー本体を被覆可能な第２カバー本体と、上記第２挿入凹部に連続して開口する第２開口溝部を備えた断面優弧状で上下方向に延在して上記第１嵌合カバー部に被覆嵌合可能な第２嵌合カバー部とが一体形成された可撓性樹脂製の第２カバー部材と、
上記線路側電線に被覆嵌合した第１嵌合カバー部及び該第１嵌合カバー部に被覆嵌合した第２嵌合カバー部を線路側電線に共に挟持固定する嵌合カバー部固定手段と、
上記第１カバー本体と第２カバー本体によって上記避雷器と線路側配線とに亘って被覆した状態に第１カバー本体及び第２カバー本体を保持するカバー本体固定手段と、を備えたことを特徴とする避雷器用カバー。
【請求項３】
上記嵌合カバー部固定手段は、
上記線路側電線に被覆嵌合した第１嵌合カバー部を被覆嵌合した第２嵌合カバー部を挟持するクリップであることを特徴とする請求項１または２に記載の避雷器用カバー。
【請求項４】
上記カバー本体固定手段は、
互いに接合して上記第１カバー本体と第２カバー本体によって上記避雷器と線路側配線とに亘って被覆した状態に第１カバー本体及び第２カバー本体を保持する第１カバー本体に設けた第１面ファスナと第２カバー本体に設けた第２面ファスナと、を備えたことを特徴とする請求項１〜３のいずれか１項に記載の避雷器用カバー。
【発明の詳細な説明】
【技術分野】
【０００１】
本発明は、落雷発生時に、配電線の周辺設備を異常高電圧電流等から保護するために付設される避雷器及び避雷器に接続する線路側電線との接続部を被覆する避雷器用カバーに関する。
【背景技術】
【０００２】
従来から、落雷時に配電線の周辺設備を雷サージ、即ち異常高電圧電流から保護するため、異常高電圧電流を接地側に流す避雷器が配電線に接続される。
【０００３】
この避雷器は、例えば図７に示すように、外装部分が碍子により製作されて大容量バリスタなどの機能部を内蔵する本体部１０１と、この本体部１０１の上部側に配設される接続端子１０２と、本体部１０１の下部側に配設される接地金具１０３を有し、本体部１０１の胴部に取り付けられた金具１０４ａ及び取付金具１０４によって図示しない電柱上部の腕金等に取り付けられる。このように構成される避雷器１００は、接続端子１０２に配電線からの線路側電線１０５の被覆を除去した通電線１０６がネジ１０２ａによって接続され、接地金具１０３には図示しないアース線が接続される。この避雷器１００は、周辺設備等の負荷設備に供給する定常電流の場合には機能することなく、配電線に落雷電流が侵入したときに、その落雷により発生した異常高電圧電流を接地側に誘導することにより、落雷による負荷装置の破損を回避する。
【０００４】
避雷器１００は、接続端子１０２に配電線からの線路側電線１０５が接続されて常時供給電圧が印加されることから、作業中の感電事故等を未然に防止することを目的として線路側電線１０５の被覆を除去した通電線１０６及び接続金具１０２等の線路側電線との接続部を覆う避雷器用カバーが取り付けられる。
【０００５】
この避雷器用カバーの一例として、例えば特許文献１に開示され、かつ図８に示すキャップ部材１１０がある。このキャップ部材１１０は、キャップ本体１１１の頂部に線路側電線を引き出す引出孔１１２が設けられ、キャップ本体１１１の内側下部に避雷器の本体部に嵌合保持される碍子挟持部１１３が形成され、線路側電線を引出孔１１２に挿通した状態で碍子挟持部１１３を本体部に嵌合して避雷器に装着する。
【０００６】
また、特許文献２に開示されるカップ部材は、図９に示すように、頂部に線路側電線１０５の引出孔１１６が形成され、線路側電線１０５の通電線１０６を接続する接続端子１０２及び通電線１０６を覆うように形成されたカップ部材１１５を備え、避雷器本体部１０１の上面１０１ａとカップ部材１１５の開口端部１１５ａとの間にカバー部材１１６を配置して構成される。
【先行技術文献】
【特許文献】
【０００７】
【特許文献１】特開２００９−５４８０号公報
【特許文献２】特開２００７−２８１３３５号公報
【発明の概要】
【発明が解決しようとする課題】
【０００８】
上記特許文献１及び２によると、比較的大きな剛性を有して賦形されたキャップ部材の頂部に形成された引出孔に線路側電線を挿通した状態で通電線及び接続端子を覆うようにしてキャップ部材を避雷器に装着することから、その取付け作業が厄介であり、特に接続金具に接続される線路側電線が撓み或いは折曲して避雷器から延在する場合には、避雷器及び線路側電線にキャップ部材を装着する作業は極めて厄介である。
【０００９】
一方、近年一般家庭や事業所等におけるコンピュータ等のＯＡ機器や他の電機製品の飛躍的な普及により、停電時間を設けずに配電線関連の点検や改修等の電気工事を行う間接活線工法が主流となっており、この間接活線工法では配電線などに通電した状態で作業が行われることから、間接活線工法作業中の感電事故を未然に防止することを目的として、取り付け及び取り外しの作業性に優れた間接活線工事用の避雷器用カバーの要求がある。
【００１０】
従って、かかる点に鑑みなされた本発明の目的は、取り付け取り外しの作業性に優れると共に、所定箇所を確実に被覆できる避雷器用カバーを提供することにある。
【課題を解決するための手段】
【００１１】
上記目的を達成する請求項１に記載の避雷器用カバーは、避雷器と該避雷器の接続端子に接続される線路側電線とに亘って被覆する避雷器用カバーであって、前方から下方に亘って連続開放された略半割カップ状で上記避雷器と線路側電線とに亘って被覆可能な第１カバー本体及び、上記線路側電線に被覆嵌合可能な第１開口溝部を備えた断面優弧状で延在する第１嵌合カバー部とが一体形成された可撓性樹脂製の第１カバー部材と、該第１カバー部材と対向する前方から下方に亘って連続開放された上記第１カバー部材と対向する略半割カップ状で上記第１カバー本体を被覆可能な第２カバー本体及び、上記第１嵌合カバー部に被覆嵌合可能な第２開口溝部を備えた断面優弧状で延在する第２嵌合カバー部とが一体形成された可撓性樹脂製の第２カバー部材と、上記線路側電線に被覆嵌合した上記第１嵌合カバー部及び該第１嵌合カバー部に被覆嵌合した上記第２嵌合カバー部を共に線路側電線に挟持固定する嵌合カバー部固定手段と、上記第１カバー本体と第２カバー本体によって上記避雷器と線路側電線とに亘って被覆した状態に保持するカバー本体固定手段と、を備えたことを特徴とする。
【００１２】
これによると、避雷器用カバーの取付けにあたり、前方及び下方が開放された半割カップ状の第１カバー本体によって避雷器から線路側配線に亘って被覆すると共に、第１嵌合カバー部の第１開口溝部から線路側電線を押し込み第１嵌合カバー部によって線路側電線を嵌合被覆して線路側電線に第１カバー部材を固定し、第１カバー部材に対向する前方及び下方が開放された半割カップ状の第２カバー本体によって第１カバー本体を被覆すると共に、第２嵌合カバー部の第２開口溝部から第１嵌合カバー部を押し込み第２嵌合カバー部によって第１嵌合カバー部を嵌合被覆して第２カバー部材を第１カバー部材に固定し、第１嵌合カバー部及び第２嵌合カバー部を共に線路側電線に嵌合カバー部固定手段により固定し、かつ第１カバー本体と第２カバー本体を避雷器と線路側配線とに亘って被覆した状態でカバー本体固定手段により固定する簡単な作業で避雷器用カバーを所定位置に取り付けることができる。
【００１３】
一方、カバー本体固定手段による第１嵌合カバー部及び第２嵌合カバー部の挟持固定を解除し、第２嵌合カバー部を第１嵌合カバー部から抜き出すと共に第１嵌合カバー部を線路側電線から抜き出す簡単な作業により第１カバー部材及び第２カバー部材が取り外され、避雷器用カバーを容易に取り外すことができる。
【００１４】
また、第１カバー部材及び第２カバー部材を可撓性を有する樹脂によって構成することで、避雷器に対し経路側電線が傾斜し或いは湾曲して延在する場合でも比較的容易に装着できると共に、避雷器の大きさや形状に拘わらず、容易に避雷器に避雷器用カバーを取り付けることができ、避雷器用カバーの汎用性が得られる。
【００１５】
上記目的を達成する請求項２に記載の避雷器用カバーは、避雷器と該避雷器の接続端子に接続される線路側電線とに亘って被覆する避雷器用カバーであって、断面Ｕ字状で上下方向に延在する第１周面部及び前方が開口する第１挿入凹部が形成された第１上面部を有して前方から下方に亘って連続開放された略半割カップ状で上記避雷器と線路側電線とに亘って被覆可能な第１カバー本体と、上記第１挿入凹部に連続して開口する第１開口溝部を有して上下方向に連続する断面優弧状で線路側電線に被覆嵌合可能な第１嵌合カバー部とが一体形成された可撓性樹脂製の第１カバー部材と、該第１カバー部材と対向する断面Ｕ字状で上下方向に連続する第２周面部及び前方が開口する第２挿入凹部が形成された第２上面部を有して前方から下方に亘って連続開放された略半割カップ状で上記第１カバー本体を被覆可能な第２カバー本体と、上記第２挿入凹部に連続して開口する第２開口溝部を備えた断面優弧状で上下方向に延在して上記第１嵌合カバー部に被覆嵌合可能な第２嵌合カバー部とが一体形成された可撓性樹脂製の第２カバー部材と、上記線路側電線に被覆嵌合した第１嵌合カバー部及び該第１嵌合カバー部に被覆嵌合した第２嵌合カバー部を共に線路側電線に挟持固定する嵌合カバー部固定手段と、上記第１カバー本体と第２カバー本体によって上記避雷器と線路側配線とに亘って被覆した状態に第１カバー本体及び第２カバー本体を保持するカバー本体固定手段と、を備えたことを特徴とする。
【００１６】
これによれば、第１カバー本体によって避雷器から線路側電線に亘って被覆すると共に第１嵌合カバー部の第１開口溝部から線路側電線を押し込み第１嵌合カバー部によって線路側電線を嵌合被覆して線路側電線に第１カバー部材を固定し、第１カバー部材に対向する第２カバー本体によって第１カバー本体を被覆すると共に、第２嵌合カバー部の第２開口溝部から第１嵌合カバー部を押し込み第２嵌合カバー部によって第１嵌合カバー部を嵌合被覆して第２カバー部材を第１カバー部材に固定し、第１嵌合カバー部及び第２嵌合カバー部を共に線路側電線に嵌合カバー部固定手段により固定し、かつ第１カバー本体と第２カバー本体を避雷器と線路側配線とに亘って被覆した状態にカバー本体固定手段により固定する簡単な作業で避雷器用カバーを所定位置に取り付けることができる。
【００１７】
一方、カバー本体固定手段による第１嵌合カバー部及び第２嵌合カバー部の挟持固定を解除し、第２嵌合カバー部を第１嵌合カバー部から抜き出すと共に第１嵌合カバー部を線路側電線から抜き出す簡単な作業により第１カバー部材及び第２カバー部材が取り外され、避雷器用カバーを容易に取り外すことができる。
【００１８】
また、第１カバー部材及び第２カバー部材を可撓性を有する樹脂によって構成することで、避雷器に対し線路側電線が傾斜し或いは湾曲して延在する場合でも比較的容易に装着できると共に、避雷器の大きさや形状に拘わらず、容易に避雷器に避雷器用カバーを取り付けることができ、避雷器用カバーの汎用性が得られる。
【００１９】
請求項３に記載の避雷器用カバーは、請求項１または２の避雷器用カバーにおいて、上記嵌合カバー部固定手段は、上記線路側電線に被覆嵌合した第１嵌合カバー部を被覆嵌合した第２嵌合カバー部を挟持するクリップであることを特徴とする。
【００２０】
これによると、嵌合カバー部固定手段をクリップにより構成することで、クリップの装着により容易に第１嵌合カバー部及び第２嵌合カバー部を線路側電線に安定した状態で固定維持できる一方、クリップを取り外すことにより容易に第１嵌合カバー部及び第２嵌合カバー部の線路側電線への固定が解除でき、更に避雷器用カバーの取り付け取り外しの作業性が向上する。
【００２１】
請求項４に記載の避雷器用カバーは、請求項１〜３のいずれか１項に記載の避雷器用カバーにおいて、上記カバー本体固定手段は、互いに接合して上記第１カバー本体と第２カバー本体によって上記避雷器と線路側配線とに亘って被覆した状態に第１カバー本体及び第２カバー本体を保持する第１カバー本体に設けた第１面ファスナと第２カバー本体に設けた第２面ファスナと、を備えたことを特徴とする
【００２２】
これによると、カバー本体固定手段を互いに接合及び分離可能な第１カバー部に設けられた第１面ファスナ及び第２カバー本体に設けられた第２面ファスナによって構成することで、容易に第１カバー本体と第２カバー本体により避雷器と線路側電線とに亘って被覆した状態に維持できると共に、第１カバー本体と第２カバー本体の結合を解除することができ、更に避雷器用カバーの取り付け取り外しの作業性が向上する。
【発明の効果】
【００２３】
本発明によると、半割カップ状の第１カバー本体によって避雷器から線路側配線に亘って被覆すると共に第１嵌合カバー部によって線路側電線を嵌合被覆して線路側電線に第１カバー部材を固定し、第１カバー部材に対向する半割カップ状の第２カバー本体によって第１カバー本体を被覆すると共に第２嵌合カバー部によって第１嵌合カバー部を嵌合被覆して第２カバー部材を第１カバー部材に固定し、第１嵌合カバー部及び第２嵌合カバー部を共に線路側電線に嵌合カバー部固定手段により固定し、かつカバー本体固定手段により固定する簡単な作業で避雷器用カバーを所定位置に取り付けることができる。
【００２４】
一方、カバー本体固定手段による第１カバー本体と第２カバー本体との固定を解除し、嵌合カバー固定手段による第１嵌合カバー部及び第２嵌合カバー部の挟持固定を解除し、第２嵌合カバー部を第１嵌合カバー部から抜き出すと共に第１嵌合カバー部を線路側電線から抜き出す簡単な作業により第１カバー部材及び第２カバー部材が取り外され、避雷器用カバーを容易に取り外すことができる。
【００２５】
また、第１カバー部材及び第２カバー部材を可撓性を有する樹脂によって構成することで、避雷器に対し線路側電線が傾斜し或いは湾曲して延在する場合でも容易に装着できると共に、避雷器の大きさや形状に拘わらず、容易に避雷器に避雷器用カバーを取り付けることができ、避雷器用カバーの汎用性が得られる。
【図面の簡単な説明】
【００２６】
【図１】実施の形態における避雷器用カバーが取り付けられた状態を示す斜視図である。
【図２】避雷器用カバーを構成する第１カバー部材の説明図であり、（ａ）は第１カバー部材の斜視図、（ｂ）は第１カバー部材の平面図である。
【図３】第２カバー部材の説明図であり、（ａ）は第２外側カバー部材の斜視図、（ｂ）は第２カバー部材の平面図である。
【図４】クリップの説明である。
【図５】避雷器用カバーの取付け手順を示す説明図である。
【図６】避雷器用カバーの取付け手順の説明図である。
【図７】避雷器の概要を示す図である。
【図８】従来の避雷器用カバーであるキャップ部材の説明図である。
【図９】従来の避雷器用カバーであるキャップ部材の説明図である。
【発明を実施するための形態】
【００２７】
本発明による避雷器用カバーの実施の形態を図１乃至図６及び避雷器の概要を示す図７を参照して説明する。図１は避雷器用カバーの取り付け状態を示す斜視図であり、図２は第１カバー部材の説明図、図３は第２カバー部材の説明図、図４はクリップの説明図、図５及び図６は避雷器用カバーの取付け作業の説明図であり、図７は避雷器１００の説明図である。なお、図７は上述の構成であり、説明を省略する。
【００２８】
図１は、図７における避雷器１００に避雷器用カバー１を取り付けた状態を示し、避雷器用カバー１は、比較的薄く可撓性を有する樹脂製の第１カバー部材１１及び第２カバー部材２１と、嵌合カバー部固定手段であるクリップ３１によって構成される。
【００２９】
これら避雷器用カバー１を構成する第１カバー部材１１、第２カバー部材２１、及びクリップ３１の概要を図２乃至図４に基づいて説明し、続いて図５及び図６を基に避雷器用カバー１の取付け手順を説明する。
【００３０】
図２を参照して第１カバー部材１１の概要を説明する。図２（ａ）は第１カバー部材１１の斜視図、同図（ｂ）は平面図である。
【００３１】
第１カバー部材１１は、避雷器１００の本体部１０１から接続端子１０２及び線路側電線１０５の被覆が除去された通電線１０６に亘って被覆する前方及び下方が開放された半割カップ状の第１カバー本体１２及び第１カバー本体１２に一体形成されて線路側電線１０５に嵌合係止する第１嵌合カバー部１７を備える。
【００３２】
第１カバー本体１２は、第１周面部１３及び第１上面部１５によって前方及び下方が開放された半割りカップ状に形成される。第１周面部１３は、断面半円弧状で上下方向に延在する後面部分１３Ａ及び後面部分１３Ａの両側から前方に延在して対向する平面状の側面部分１３Ｂ、１３Ｂを有する断面略Ｕ字状で上下方向に延在し、略Ｕ字状の上縁１３ａ、下縁１３ｂ及び上下方向に延在する前縁１３ｃ、１３ｃが形成される。この第１周面部１３の対向する互いの側面部分１３Ｂ、１３Ｂは、上縁１３ａ側から下縁１３ｂ側に移行するに従って次第に離間し後面部分１３Ａは上縁１３ａ側から下縁１３ｂ側に移行するに従って次第に拡径するテーパ面状に形成される。
【００３３】
第１上面部１５は、第１周面部１３の上縁１３ａに連続する外周縁が連続すると共に両前縁１３ｃ、１３ｃの上端間に亘る前縁１５ａを備えた平板状で周面部１３に一体に設けられる。この第１周面部１３及び第１上面部１５によって形成される第１カバー本体１２には、第１上面部１５の前縁１５ａ及び第１周面部１３の前縁１３ｃ、１３ｃによって前方開放部１１Ａが形成され、下縁１３ｂによって前方開放部１１Ａに連続して下方開放部１１Ｂが形成される。
【００３４】
更に、第１上面部１５には、その前縁１５ａに開口１６Ａを有する断面略Ｕ字溝状の第１挿入凹部１６が形成される。第１挿入凹部１６は開口１６Ａの両端にそれぞれ連続すると共に開口１６Ａから離反するに従って互いに接近するガイド縁１６ａ、１６ａ及び各ガイド縁１６ａ、１６ａの後端両端が連続する断面半円弧状の後端縁１６ｂを有する。この半円弧状の後端縁１６ｂは線路側電線１０５が挿入可能な径を有して開口１６Ａに対向している。換言すると第１挿入凹部１６は線路側電線１０５が挿入可能な径を有する半円弧状の後端縁１６ｂ及び後端縁１６ｂから前縁１５ａに側に移行するに従って次第に離間する一対のガイド縁１６ａ、１６ａを有して前縁１５ａに開口する。
【００３５】
第１嵌合カバー部１７は、線路側電線１０５が挿通可能な内径を有し、かつ断面が全円周の半分より大きい円弧、即ち、断面優弧状で上下方向に延在し、先端１７ａ側及び基端１７ｂ側が開放すると共に先端１７ａから基端１７ｂに亘って連続するスリット状の開口溝部１８が形成された略筒状で、第１挿入凹部１６と第１開口溝部１８が連続した状態で基端１７ｂが第１カバー本体１１の上面１５に形成された第１挿入凹部１６の後端縁１６ｂに沿って連結される。この第１嵌合カバー部１７は長さが２０〜３０ｍｍ程度に形成され、開口溝部１８の幅は、第１嵌合カバー部１７の中心に対する角度αが例えば９０°程度に設定される。
【００３６】
このように構成された第１嵌合カバー部１７は、線路側電線１５に沿って開口溝部１８を対向させた状態で線路側電線１０５に押し付けることで、第１開口溝部１８が線路側電線１０５によって次第に押し広げられて、第１嵌合カバー部１７内に線路側電線１０５を被覆して収容すると共に第１嵌合カバー部１７が線路側電線１０５に嵌合係止される。
【００３７】
更に、第１カバー本体部１２の第１周面部１３に後述する第２カバー部材２１の第２周面部２３に貼設された第２面ファスナ２９Ｆに接合可能な第１面ファスナ１９Ｆが先端部に設けられた帯状体１９の基端部が結合される。これら第１面ファスナ１９Ｆ及び第２面ファスナ２９Ｆによって第１カバー本体１２と後述する第２カバー本体２２とによって避雷器１００と線路側電線１０５とに亘って被覆する状態に第１カバー本体１２及び第２カバー本体２２を保持するカバー本体固定手段を構成する。
【００３８】
図３を参照して第２カバー部材２１の概要を説明する。図３（ａ）は第２カバー部材２１の斜視図、同図（ｂ）は平面図である。
【００３９】
第２カバー部材２１は、第１カバー部材１１と対向して第１カバー部材１１の第１カバー本体１２を被覆可能な前方及び下方が開放された半割カップ状の第２カバー本体２２を有し、第２カバー本体２２に一体形成されて第１嵌合カバー部１７に嵌合可能な第２嵌合カバー部２７を有する。また、第２カバー部材２１は第１カバー部材１１に対向するほぼ相似形で第１カバー部材１１より大きな寸法形状を有する。
【００４０】
第２カバー本体２２は、第２周面部２３及び第２上面部２５によって前方及び下方が開放された半割りカップ状に形成される。第２周面部２３は、断面半円弧状で上下方向に延在する後面部分２３Ａ及び後面部分２３Ａの両側から前方に延在して対向する平面状の側面部分２３Ｂ、２３Ｂを有する断面略Ｕ字状で上下方向に延在し、略Ｕ字状の上縁２３ａ、下縁２３ｂ及び上下方向に延在する前縁２３ｃ、２３ｃを有する。この第２周面部２３の対向する互いの側面部分２３Ｂ、２３Ｂは、上縁２３ａ側から下縁２３ｂ側に移行するに従って次第に離間し後面部分２３Ａは上縁２３ａ側から下縁２３ｂ側に移行するに従って次第に拡径するテーパ面状に形成される。
【００４１】
第２上面部２５は、第２周面部２３の上縁２３ａに連続する外周縁が連続すると共に両前縁２３ｃ、２３ｃの上端間に亘る前縁２５ａを備えた平板状で第２周面部２３と一体に設けられる。この第２周面部２３及び第２上面部２５は第１カバー本体２１の第１周面部１３及び第１上面部１５に被覆可能に形成される。
【００４２】
また、第２カバー本体２２には、第２上面部２５の前縁２５ａ、第２周面部２３の前縁２３ｃ、２３ｃによって前方開放部２１Ａが形成され、下縁２３ｂによって前方開放部２１Ａに連続して下方開放部２１Ｂが形成される。
【００４３】
更に、第２上面部２５には、その前縁２５ａに開口２６Ａを有する断面略Ｕ字溝状の第２挿入凹部２６が形成される。第２挿入凹部２６は開口２６Ａの両端にそれぞれ連続すると共に開口２６Ａから離反するに従って互いに接近するガイド縁２６ａ、２６ａ及び各ガイド縁２６ａ、２６ａの後端両端が連続する断面半円弧状の後端縁２６ｂが形成される。この半円弧状の後端縁２６ｂは第１嵌合カバー部１７が挿入可能な径を有して開口２６Ａに対向している。
【００４４】
第２嵌合カバー部２７は、線路側電線１０５が挿通された第１嵌合カバー部１７が挿通可能な内径を有する断面優弧形状で上下方向に延在し、先端２７ａ及び基端２７ｂ側が開放すると共に先端２７ａから基端２７ｂに連続するスリット状の第２開口溝部２８が形成された略筒状で、第２挿入凹部２６と第２開口溝部２８が連続した状態で基端２７ｂが第２カバー本体２１の第２上面部２５に形成された第２挿入凹部２６の後端縁２６ｂに沿って連結される。第２嵌合カバー部２７は長さが第１嵌合カバー部１７と同等の長さを有し、第２開口溝部２８の幅は、第２嵌合カバー部２７の中心に対する角度βが例えば９０°程度に設定される。
【００４５】
このように構成された第２嵌合カバー部２７は、線路側電線１０５が挿通された第１嵌合カバー部２７に沿って第２開口溝部２８を対向させた状態で第１嵌合カバー部１７に押し付けることで、第２開口溝部２８が第１嵌合カバー部１７によって押し広げられて、第２嵌合カバー部２７内に第１嵌合カバー部１７を被覆して収容すると共に第２嵌合カバー部２７が第１嵌合カバー部１７に嵌合係止される。
【００４６】
更に、第２カバー本体部２２の第２周面部２３に、第１カバー本体部１２に結合された帯状体１９の先端部に貼設された第１面ファスナ１９Ｆが接合可能な第２面ファスナ２９Ｆが貼設される。
【００４７】
クリップ３１は、図４に斜視図を示すように、板状のバネ部材によって形成され、基部３２及び基部３２から分岐して対向する円弧状に形成された一対の把持部３３、３３を有し、離間する各把持部３３、３３の先端３３ａ、３３ａを第２嵌合カバー部２７に押圧することで押し広げられて、各把持部３３、３３によって第２嵌合カバー部２７を挟持固定する。
【００４８】
次に、以上のように構成された第１カバー部材１１、第２カバー部材２１及びクリップ３１からなる避雷器用カバー１の取付手順を、図５及び図６に基づいて説明する。図５は各取付け状態における避雷器用カバー１及び避雷器１００との側面図を模式的に示す取付け手順説明図であり、図６は各取付け状態における線路側電線１０５と第１嵌合カバー部１７及び第２嵌合カバー部２７の相対状態を模式的に示す取付け手順説明図である。
【００４９】
まず、第１カバー部材１１、第２カバー部材２１及びクリップ３１を準備する。そして、図示しない絶縁工具、例えば絶縁ヤットコ等によって第１カバー部材１１を把持し、絶縁ヤットコの操作により図５（ａ）及び図６（ａ）に示すように第１カバー部材１１の第１カバー本体１２の前方開放部１１Ａを避雷器１００の本体部１０１から接続端子１０２及び線路側電線１０５に亘って対向すると共に第１嵌合カバー部１７の第１開口溝部１８を線路側電線１０５に対向させる。
【００５０】
この避雷器１００及び線路側電線１０５に対向する第１カバー部材１１を避雷器１００及び線路側電線１０５に接近移動して前方開放部１１Ａ側から避雷器１００の本体部１０１及び接続金具１０２を第１カバー本体１２によって被覆すると共に、上面部１５に形成された開口１６Ａからガイド縁１６ａ、１６ａに沿って線路側電線１０５を誘導しつつ第１挿入凹部１６の後端縁１６ｂに当接するまで挿入し、かつ第１嵌合カバー部１７の開口溝１８を線路側電線１０５に当接させる。
【００５１】
そして、線路側電線１０５に沿って第１嵌合カバー部１７の第１開口溝部１８が対向当接した状態で、絶縁ヤットコ等の絶縁工具によって第１嵌合カバー部１７及び線路側電線１０５を共に把持して第１嵌合カバー部１７の第１開口溝部１８を線路側電線１０５に押し込むことで、図５（ｂ）及び図６（ｂ）に示すように開口溝部１８が線路側電線１０５によって押し広げられて第１嵌合カバー部１７内に線路側電線１０５を被覆して収容すると共に第１嵌合カバー部１７を線路側電線１０５に嵌合係止させる。
【００５２】
この第１嵌合カバー部１７を線路側電線１０５に嵌合係止することで、第１カバー部材１１が線路側電線１０５に仮止めされ、第１嵌合カバー部１７によって線路側電線１０５のほぼ全周に亘って第１嵌合カバー部１７によって被装され、第１カバー本体１２の第１周面部１３及び第１上面部１５によって避雷器１００の本体部１０１から接続端子１０２及び線路側電線１０５に亘って被装した状態に維持される。
【００５３】
ここで、第１嵌合カバー部１７を線路側電線１０５に装着するにあたり、第１嵌合カバー部１７の長さを２０〜３０ｍｍ程度に形成することで、避雷器１００の本体１０１の軸心方向に対し線路側電線１０５が傾斜し或いは湾曲して延在する場合でも比較的容易に装着すると共に十分な有効長さを有して線路側電線１０５を被覆することができる。仮に第１嵌合カバー部１７の長さが過大であると、その取る付け作業が厄介になり作業性が低下すると共に、湾曲する線路側電線１０５に安定した状態での取り付けが困難になることが懸念される。また、第１嵌合カバー部１７の長さが過少であると、線路側電線１０５への安定した保持が困難になり、かつ線路側電線１０５及び避雷器１００の接続端子１０２の被覆が十分に得られない状態になることが懸念される。
【００５４】
次に、絶縁ヤットコ等によって第２カバー部材２１を把持し、絶縁ヤットコの操作により図５（ｂ）及び図６（ｂ）に示すように第２カバー部材２１の第２カバー本体２２の前方開放部２１Ａを第１カバー部材１１の第１カバー本体１２の第１前方開放部１１Ａ及び避雷器１００の本体部１０１から接続端子１０２及び線路側電線１０５に亘って対向すると共に第２嵌合カバー部２７の第２開口溝部２８を第１嵌合カバー部１７に対向させる。
【００５５】
この第２カバー部材２１を第１カバー部１１及び避雷器１００及び線路側電線１０５側に接近移動して、前方開放部２１Ａ側から第２カバー本体２２を第１カバー本体１２に被せて第１カバー本体１２の第１周面部１３の側面部分１３Ｂ及び第１上面部１５等を第２カバー本体２２によって被覆する。更に、第２上面部２５に形成された開口部２６からガイド縁２６ａ、２６ａに沿って線路側電線１５に嵌合する第１嵌合カバー部１７を誘導しつつ第２挿入凹部２６の後端縁２６ｂに当接するまで挿入し、かつ第２嵌合カバー部２７の第２開口溝２８を第１嵌合カバー部１７に当接させる。
【００５６】
そして、第１第１嵌合カバー部１７に沿って第２嵌合カバー部２７の第２開口溝部２８が対向当接した状態で、絶縁ヤットコ等の絶縁工具によって第１嵌合カバー部１７及び第２嵌合カバー部２７を共に把持して第２嵌合カバー部２７の第２開口溝部２８を第１嵌合カバー部１７に押し付けることで、図５（ｃ）及び図６（ｃ）に示すように第２開口溝部２８が第１嵌合カバー部１７によって押し広げられて第２嵌合カバー部２７内に第１嵌合カバー部１７を被覆して収容すると共に第２嵌合カバー部２７を第１嵌合カバー部１７に嵌合係止させる。
【００５７】
この第２嵌合カバー部２７を第１嵌合カバー部１７に嵌合係止することで、第２嵌合カバー部２７によって第１嵌合カバー部１７がほぼ全周に亘って被装され、第２カバー本体２２の第２周面部２３及び第２上面部２５によって第１カバー本体１２の第１周面部１３の側面部分１３Ｂ及び上面部１５を被装した状態に維持される。ここで、第２嵌合カバー部２７の第１嵌合カバー部１７への装着にあたり、第２嵌合カバー部２７を第１嵌合カバー部１７の長さと同程度にすることで、比較的容易に装着すると共に十分な有効長さを有して第１嵌合カバー部１７を被覆することができる。
【００５８】
次に、図５（ｄ）及び図６（ｄ）に示すように、クリップ３１の先端３３ａ、３３ａを第２嵌合カバー部２７に押圧してクリップ３１を第２嵌合カバー部２７に装着する。これによりクリップ３１の把持部３３、３３によって第２嵌合カバー部２７が挟持されて第２嵌合カバー部２７及び第１嵌合カバー部１７は線路側電線１０５に固着されて第１カバー部材１１及び第２カバー部材２１が線路側電線１０５に保持される。更に、第１カバー本体１２の周面部１３に基端部が取付けられた帯状体１９の先端部に取り付けられた第１面ファスナ１９Ｆと第２カバー部材２２の第２周面部２３に貼設された第２面ファスナ２９Ｆとを接合して第１カバー本体１２及び第２カバー本体２２を、避雷器１００の本体部１０１から接続金具１０２及び線路側電線１０５を被覆した状態に固定する。
【００５９】
一方、避雷器用カバー１を取り外す作業は、絶縁ヤットコ等の絶縁工具を用いて第２面ファスナ２９Ｆから第１面ファスナ１９Ｆを剥離して第１面ファスナ１９Ｆ及び第２面ファスナ２９Ｆにより第１カバー本体１２と第２カバー本体２２との連結を解除する。
【００６０】
更に、第２嵌合カバー部１７に装着されたクリップ３１を取り外してクリップ３１による第１嵌合カバー部１７及び第２嵌合カバー部１７の固定を解除する。そして、第２嵌合カバー部２７を引き出すことで第２開口溝部２８が線路側電線１０５に装着された第１嵌合カバー部１７によって押し広げられて第２嵌合カバー部２７が第１嵌合カバー部１７から抜け出し第２カバー部材２１が取り外される。同様に、次ぎに第１嵌合カバー部１７を引き出すことで第１開口溝部１８が線路側電線１０５によって押し広げられて第１嵌合カバー部１７が線路側電線１０５から抜け出し第１カバー部材１１が取り外される。
【００６１】
従って、本実施の形態による避雷器用カバー１によると、前方から下方に亘って開放された第１カバー本体１２と第１開口溝部１８を有する第１嵌合カバー１７とが一体形成された第１カバー部材１１、前方から下方に亘って開放された第２カバー本体２２と第２開口溝部２８を有する第２嵌合カバー２７とが一体形成された第２カバー部材２１、とクリップ３１により構成され、第１カバー部材１１の第１嵌合カバー部１７を線路側電線１０５に嵌合させて線路側電線１０５及び避雷器１００に第１カバー部材１１と仮止め固定し、線路側電線１０５に仮止め係止されたる第１嵌合カバー部１７に第２カバー部材２１の第２嵌合カバー部２７を嵌合させて第１カバー部材１１の第１カバー本体部１２に第２カバー本体部２２を被せ、これら仮止め係止された第１嵌合カバー部１７及び第２嵌合カバー部２８をクリップ３１によって線路側電線１０５に挟持固定すると共に、第１面ファスナ１９Ｆ及び第２面ファスナ２９Ｆの接合により第１カバー本体１２と第２カバー本体２２を避雷器１００を被覆した状態で固定する簡単な作業で避雷器１００に避雷器用カバー１を取り付けることができる。
【００６２】
一方、絶縁ヤットコ等の絶縁工具を用いて第２面ファスナ２９Ｆから第１面ファスナ１９Ｆを剥離し、かつクリップ３１を取り外し、しかる後、第２嵌合カバー部２７を引き出すことで第２カバー部材２１が取り外され、第１嵌合カバー部１７を引き出すことで第１カバー部材１１を外す簡単な作業により避雷器１００から避雷器用カバー１を取り外すことができる。
【００６３】
また、第１カバー部材１１及び第２カバー部材２１を比較的薄く可撓性を有する樹脂によって構成することで、避雷器１００の大きさや形状に拘わらず、容易に避雷器１００に避雷器用カバー１を取り付けることができ、避雷器用カバー１の汎用性がえられる。
【００６４】
また、避雷器用カバー１１が、前方から下方に亘って開放された第１周面部１３及び第１上面部１５を備えた第１カバー本体１２と断面優弧状で連続する略筒状の第１嵌合カバー部１７とが一体形成された可撓性を有する樹脂製の第１カバー部材１１、第１カバー部材１１に大きな若干大きな略相似形で前方から下方に亘って開放された第２周面部２３及び第２上面部２５を備えた第２カバー本体２２と断面優弧状で連続する略筒状の第２嵌合カバー部２７とが一体形成された可撓性を有する樹脂製の第２カバー部材２１、及びクリップ３１による簡単な構成部材により構成される。
【００６５】
なお、本発明は上記実施の形態に限定されることなく、発明の趣旨を逸脱しない範囲で、種々変更可能である。例えば上記実施の形態では、嵌合カバー部固定手段として板状のバネ部材によって形成されたクリップ３１を用いたが、クリップ３１に代えて連結部によって開閉自在に形成され一対の把持部及び該把持部を閉状態に付勢するスプリングを備えたクリップ等の他の形状のクリップを用いることができる。また、線路側電線１０５に嵌合する第１嵌合カバー部１７及び第２嵌合カバー部２７に巻回する細線によって構成できる。更に、上記実施の形態ではカバー本体固定手段として第１カバー部材１１に設けた帯状体１９の先端に配設した第１面ファスナ１９Ｆを第２カバー部材２１に配設した第２面ファスナ２９によって構成したが、第１面ファスナ１９Ｆ及び第２面ファスナ２９Ｆに代えて避雷器１００及び線路電線１０５を被覆した状第の１カバー本体１２及び第２カバー本体２２を細線等で巻回して第１カバー本体１２及び第２カバー本体２２を固定することもできる。
【００６６】
更に、上記実施の形態では第１嵌合カバー部１７の第１開口溝部１８の幅を第１嵌合カバー部１７の中心に対する角度αが９０°程度に設定したが、第１嵌合カバー部１７の剛性等を考慮して他の適宜角度に設定することができる。同様に第２嵌合カバー部２７の第２開口溝部２８の幅を第２嵌合カバー部２７の中心に対する角度βを９０°程度に設定したが、第２嵌合カバー部２７の剛性等を考慮して他の適宜角度に設定することができる。
【符号の説明】
【００６７】
１        避雷器用カバー
１１      第１カバー部材
１２      第１カバー本体
１３      第１周面部
１５      第１上面部
１６      第１挿入凹部
１７      第１嵌合カバー部
１８      第１開口溝部
１９Ｆ    第１面ファスナ（カバー本体固定手段）
２１      第２カバー部材
２２      第２カバー本体
２７      第２嵌合カバー部
２３      第２周面部
２５      第２上面部
２６      第２挿入凹部
２１Ａ    前方開放部
２１Ｂ    下方開放部
２７      第２嵌合カバー部
２８      第２開口溝部
２９Ｆ    第２面ファスナ（カバー本体固定手段）
３１      クリップ（嵌合カバー部固定手段）
１００    避雷器
１０１    本体部
１０２    接続端子
１０５    線路側電線
【図１】
2012114178.tif 000003
【図２】
2012114178.tif 000004
【図３】
2012114178.tif 000005
【図４】
2012114178.tif 000006
【図５】
2012114178.tif 000007
【図６】
2012114178.tif 000008
【図７】
2012114178.tif 000009
【図８】
2012114178.tif 000010
【図９】
2012114178.tif 000011